(57)【要約】【課題】タッチダウン現像方式を採用する画像形成装置において、先端画像濃度ムラおよび現像ゴーストの発生を防止する。【解決手段】画像形成装置の制御部１００は、中間転写 体上に形成されたソリッド画像の濃度に基づいて、現像ローラ７２を１回転させることで形成されるソリッド画像の濃度が所定の第１の値以上となるように現像ローラ７２の回転速度を設定し、つづいて、現像ローラ７２を１回転させることで形成される前記ソリッド画像の濃度と、現像ローラ７２を２回転させることで形成される前記ソリッド画像の濃度と、の濃度差が所定の第２の値以下となるように、電圧印加部８０によって現像ローラ７２および磁気ローラ７３に印加される電圧の電位差を設定する。【選択図】図２
2010117491.tif 000002
【特許請求の範囲】
【請求項１】
トナーとキャリアとを含む２成分現像剤で磁気ブラシを形成して現像を行う画像形成装置であって、
静電潜像が形成される像担持体と、
前記像担持体に対向して配置され現像剤のトナーを表面に担持して搬送する現像ローラ、前記２成分現像剤を担持して前記現像ローラにトナーを供給する磁気ローラ、および前記現像ローラおよび前記磁気ローラにバイアス電圧を印加する電圧印加部を備える現像装置と、
前記バイアス電圧および前記現像ローラの回転速度を制御する制御部と、
前記像担持体から前記トナー像が転写され、転写されたトナー像を記録媒体に転写する中間転写体と、
ソリッド画像である複数のトナーパッチを前記像担持体上又は前記中間転写体上に形成するトナーパッチ形成部と、
前記トナーパッチの画像濃度を検出する濃度検出部と、を備え、
前記現像装置は、前記磁気ローラによって搬送された２成分現像剤と前記現像ローラとを接触又は近接させて、前記２成分現像剤中のトナーを前記現像ローラの表面に担持させ、前記電圧印加部が前記現像ローラに前記現像バイアス電圧を印加することにより、前記現像ローラによって搬送されたトナーを前記像担持体の表面に飛翔させて、前記像担持体の表面に予め形成された静電潜像をトナー像として顕像化させ、
前記制御部は、前記濃度検出部が検出したトナーパッチの画像濃度に基づいて、
前記現像ローラを１回転させることで形成される前記トナーパッチの画像濃度が所定の第１の値以上となるように、前記現像ローラの回転速度を設定し、
前記回転速度を設定した後、前記現像ローラを１回転させることで形成される前記トナーパッチの画像濃度と、前記現像ローラを２回転させることで形成される前記トナーパッチの画像濃度と、の濃度差が所定の第２の値以下となるように、前記現像ローラに印加される電圧と前記トナー供給ローラに印加される電圧との電位差を設定する画像形成装置。
【請求項２】
前記トナーパッチ形成部による前記トナーパッチの形成と、
前記濃度検出部による前記トナーパッチの画像濃度検出と、
前記制御部による前記現像ローラの回転速度および前記電位差との設定とを、
前記現像ローラを１回転させることで形成される前記トナーパッチの画像濃度が前記第１の値以上となるまで、かつ、前記現像ローラを１回転させることで形成される前記トナーパッチの画像濃度と、前記現像ローラを２回転させることで形成される前記トナーパッチの画像濃度と、の濃度差が前記第２の値以下となるまで繰り返す請求項１に記載の画像形成装置。
【請求項３】
前記第１の値がマクベス濃度で１．２である請求項１または２のいずれかに記載の画像形成装置。
【請求項４】
前記第２の値がマクベス濃度で０．１である請求項１〜３のいずれかに記載の画像形成装置。
【発明の詳細な説明】
【技術分野】
【０００１】
本発明は、電子写真方式を利用した画像形成装置、特に、キャリアとトナーとからなる二成分現像剤を使用し、現像ローラ上にトナーのみを保持させて静電潜像を現像する画像形成装置に関する。
【背景技術】
【０００２】
電子写真方式を用いる画像形成装置の現像方式として、一成分現像方式および二成分現像方式が知られている。
【０００３】
現像剤がトナーのみからなる一成分現像方式では、キャリアおよびトナーから形成される磁気ブラシは形成されない。そのため、前記磁気ブラシによって静電潜像担持体（感光体）の静電潜像が乱されることがなく、二成分現像方式と比較して高画質化に適している。しかし、一成分現像方式は、二成分現像方式と比較すると長期にわたってトナーの帯電量を安定して維持することが難しい。しかもカラートナーの場合、トナーに透過性が求められるため、トナーを非磁性トナーとする必要があり、トナーの帯電量を安定して維持することはさらに難しい。そのため、フルカラー画像形成装置においては、トナーを帯電および搬送させる媒体としてキャリアを用いる二成分現像方式を採用する場合が多い。
【０００４】
一方、現像剤がトナーとキャリアとからなる二成分現像方式は、安定した帯電量が長期にわたって得られるため、長寿命化に適している。しかし、前記の磁気ブラシによる影響のため、二成分現像方式は、一成分現像方式と比較すると画質の点では不利である。
【０００５】
近年、一成分現像方式と二成分現像方式との両方の利点を備えるタッチダウン現像方式が注目されている。タッチダウン現像方式は、トナー帯電領域に二成分現像方式を採用して長寿命化を図り、現像領域に一成分現像方式を採用して高画質化を図る。
【０００６】
すなわち、タッチダウン現像方式では、トナーおよびキャリアを含有する二成分現像剤を現像剤担持体である磁気ローラの表面に担持させて磁気ブラシを形成し、該磁気ブラシから、トナーのみをトナー担持体である現像ローラの表面に移送させてトナー層を形成し、該トナー層からトナーを静電潜像が形成された感光体の表面に飛翔させて静電潜像をトナー像として現像する。特に、高画質化および長寿命化が重視されるフルカラー画像形成装置にタッチダウン現像方式を採用することで、一成分現像方式と二成分現像方式の両方の利点を備えるというタッチダウン現像方式の利点が効果を奏する。
【０００７】
しかし、タッチダウン現像方式には、画像先端部と比較して、現像ローラ２周目において現像性が低下する先端画像濃度ムラの問題がある（図４参照）。先端画像濃度ムラは、現像ローラへトナーを飽和領域まで供給するためには、現像ローラを２周以上回転させる必要がある場合に、現像ローラ１周分しかトナーが供給されていない状態で感光体へ現像されるときに、十分な画像濃度を得られなくなるために発生する。例えば印刷用紙の先端から後端までソリッド画像が印刷された場合に、続けてソリッド画像が印刷されたときは、現像ローラ上のトナーが使い尽くされた状態で、次の現像のために磁気ローラから現像ローラにトナーが供給されることになる。そのため、現像ローラ上に１周分しかトナーが供給されない状態で現像されることになるので、先端部は現像ローラ上にトナーが十分に供給されているため必要な画像濃度が得られるものの、残りの大部分の画像濃度は１周目の画像濃度よりも低くなる。
【０００８】
同様な理由により、タッチダウン現像方式においては、ソリッド画像が印刷された部分の現像ローラ２周目のトナー量と、ソリッド画像が印刷されていない部分の現像ローラ２周目のトナー量に差異を生じるため、現像ローラから感光体へトナーが飛翔した後の残像が２周目にも現れる、いわゆる現像ゴースト（履歴現象）が発生しやすいという問題もある（図５参照）。
【０００９】
このようなタッチダウン現像方式における課題への対策として、例えば、低磁化のキャリアを用いることによって磁気ブラシの密度を高め、現像ローラ上のトナーを剥ぎ取る効果を大きくする画像形成装置が特許文献１に開示されている。特許文献１の画像形成装置によれば、現像ローラ上のトナーが剥ぎ取られた後に新たにトナーが現像ローラに供給されるので、現像ローラ上のトナー濃度が不均一になるために生じる上記課題が解決できる。
【００１０】
また、現像ローラの交流成分に対してその逆位相の交流電圧を磁気ローラに印加することによって、現像ローラ上のトナーの入れ替えを促進する画像形成装置の現像装置が特許文献２に開示されている。特許文献２の現像装置によれば、現像ローラ上のトナーが入れ替えられるので、現像ローラ上のトナー濃度が不均一になるために生じる上記課題が解決できる。
【特許文献１】特開２００３−２９５６１３号公報
【特許文献２】特開２００５−２４２２８１号公報
【発明の開示】
【発明が解決しようとする課題】
【００１１】
しかし、特許文献１の方法では、キャリアの劣化によって磁気ブラシの密度や均一性が損なわれると、剥ぎ取り性能も低下するため、長期間を通じて現像ゴーストを解消するのが困難である。さらに、特許文献２の方法でも、現像剤の劣化による現像ゴーストや現像リークの発生レベルの変化に対応するためには複雑な制御が必要となるので、現像ゴーストを完全に解消することは容易ではない。
【００１２】
本発明は、このような従来の課題に鑑みてなされたものであり、タッチダウン現像方式を採用する画像形成装置において、先端画像濃度ムラおよび現像ゴーストの発生を、長期間にわたって防止することを目的とする。
【課題を解決するための手段】
【００１３】
本発明に係る画像形成装置は、トナーとキャリアとを含む２成分現像剤で磁気ブラシを形成して現像を行う画像形成装置であって、静電潜像が形成される像担持体と、前記像担持体に対向して配置され現像剤のトナーを表面に担持して搬送する現像ローラ、前記２成分現像剤を担持して前記現像ローラにトナーを供給する磁気ローラ、および前記現像ローラおよび前記磁気ローラにバイアス電圧を印加する電圧印加部を備える現像装置と、前記バイアス電圧および前記現像ローラの回転速度を制御する制御部と、前記像担持体から前記トナー像が転写され、転写されたトナー像を記録媒体に転写する中間転写体と、ソリッド画像である複数のトナーパッチを前記像担持体上又は前記中間転写 体上に形成するトナーパッチ形成部と、前記トナーパッチの画像濃度を検出する濃度検出部と、を備え、前記現像装置は、前記磁気ローラによって搬送された２成分現像剤と前記現像ローラとを接触又は近接させて、前記２成分現像剤中のトナーを前記現像ローラの表面に担持させ、前記電圧印加部が前記現像ローラに前記現像バイアス電圧を印加することにより、前記現像ローラによって搬送されたトナーを前記像担持体の表面に飛翔させて、前記像担持体の表面に予め形成された静電潜像をトナー像として顕像化させ、前記制御部は、前記濃度検出部が検出したトナーパッチの画像濃度に基づいて、前記現像ローラを１回転させることで形成される前記トナーパッチの画像濃度が所定の第１の値以上となるように、前記現像ローラの回転速度を設定し、前記回転速度を設定した後、前記現像ローラを１回転させることで形成される前記トナーパッチの画像濃度と、前記現像ローラを２回転させることで形成される前記トナーパッチの画像濃度と、の画像濃度差が所定の第２の値以下となるように、前記現像ローラに印加される電圧と前記トナー供給ローラに印加される電圧との電位差を設定する。
【００１４】
この構成によれば、前記制御部は、前記濃度検出部が検出したトナーパッチの画像濃度に基づいて、前記現像ローラを１回転させることで形成される前記トナーパッチの画像濃度が所定の第１の値以上となるように、前記現像ローラの回転速度を設定する。そのため、現像ローラ１回転のみで、ソリッド画像を形成するために必要なトナーが感光体に供給されるという効果を奏する。
【００１５】
さらにこの構成によれば、前記制御部は、前記回転速度を設定した後、前記現像ローラを１回転させることで形成される前記トナーパッチの濃度と、前記現像ローラを２回転させることで形成される前記トナーパッチの濃度と、の濃度差が所定の第２の値以下となるように、前記現像ローラに印加される電圧値と前記トナー供給ローラに印加される電圧値との電位差を設定する。そのため、ソリッド画像が連続して印刷される場合にも、先に印刷されたソリッド画像濃度と後に印刷されたソリッド画像濃度との間にユーザが視認できる濃度差はなくなるという効果を奏する。
【００１６】
本発明によれば、前記の２つの効果によって、従来のタッチダウン現像方式の問題点であった先端画像濃度ムラおよび現像ゴーストの発生が解消され、長期にわたって均一な画像が得られる。
【００１７】
上記構成において、前記トナーパッチ形成部による前記トナーパッチの形成と、前記濃度検出部による前記トナーパッチの画像濃度検出と、前記制御部による前記現像ローラの回転速度および前記電位差との設定とが、前記現像ローラを１回転させることで形成される前記トナーパッチの画像濃度が前記第１の値以上となるまで、かつ、前記現像ローラを１回転させることで形成される前記トナーパッチの画像濃度と、前記現像ローラを２回転させることで形成される前記トナーパッチの画像濃度と、の濃度差が前記第２の値以下となるまで繰り返されることが好ましい。
【００１８】
この構成によれば、前記現像ローラを１回転させることで形成される前記トナーパッチの画像濃度を所定の第１の値以上とするための前記回転数の設定、および、前記現像ローラを１回転させることで形成される前記トナーパッチの画像濃度と、前記現像ローラを２回転させることで形成される前記トナーパッチの画像濃度と、の画像濃度差を前記第２の値以下とするための前記電位差の設定が、より確実になされる。
【００１９】
したがって、従来のタッチダウン現像方式の問題点であった先端画像濃度ムラおよび現像ゴーストの発生が、より確実に解消される。
【００２０】
さらに、前記第１の値はマクベス濃度で１．２とすることが好ましい。マクベス濃度１．２以上の画像であれば、ユーザにソリッド画像であると認識させることができる。したがって、前記第１の値をマクベス濃度で１．２とすることで、ユーザがソリッド画像を印刷する場合に、ユーザの意図する十分な濃度のソリッド画像を得ることができる。
【００２１】
さらに、前記第２の値はマクベス濃度で０．１とすることが好ましい。２つのソリッド画像を比較する場合、両者の濃度差がマクベス濃度で０．１以下であれば、ユーザは両者の濃度差を判別できない。したがって、前記第２の値をマクベス濃度で０．１とすることで、均一な濃度のソリッド画像を得ることができる。
【発明の効果】
【００２２】
本発明の画像形成装置によれば、従来のタッチダウン現像方式の問題点であった先端画像濃度ムラおよび現像ゴーストの発生が解消され、長期にわたって均一な画像が得られる。したがって、現像装置の長寿命化が可能となり、メンテナンスに要する金銭的コストおよび時間コストが削減される。
【発明を実施するための最良の形態】
【００２３】
以下、図面に基づいて本発明の実施形態につき詳細に説明する。
【００２４】
＜画像形成装置の全体構成＞
図１は、本発明の一実施形態に係る画像形成装置１の全体構成の概略を示す断面図である。画像形成装置１は、例えばカラープリンタであり、図１に示すように、箱型の機器本体１ａを有している。この機器本体１ａ内には、用紙Ｐを給紙する給紙部２と、給紙部２から給紙された用紙Ｐを搬送しながら用紙Ｐに画像データ等に基づくトナー像を転写する画像形成部３と、画像形成部３で用紙Ｐ上に転写された未定着トナー像を用紙Ｐに定着する定着処理を施す定着部４とが設けられている。さらに、機器本体１ａの上面には、定着部４で定着処理の施された用紙Ｐが排紙される排紙部５が設けられている。
【００２５】
給紙部２は、給紙カセット２１、ピックアップローラ２２、給紙ローラ２３、２４、２５、及びレジストローラ２６を備えている。給紙カセット２１は、機器本体１ａから挿脱可能に設けられ、各サイズの用紙Ｐを貯留する。ピックアップローラ２２は、給紙カセット２１の図１に示す左上方位置に設けられ、給紙カセット２１に貯留されている用紙Ｐを１枚ずつ取り出す。給紙ローラ２３、２４、２５は、ピックアップローラ２２によって取り出された用紙Ｐを用紙搬送路に送り出す。レジストローラ２６は、給紙ローラ２３、２４、２５によって用紙搬送路に送り出された用紙Ｐを一時待機させた後、所定のタイミングで画像形成部３に供給する。
【００２６】
また、給紙部２は、機器本体１ａの図１に示す左側面に取り付けられる不図示の手差しトレイとピックアップローラ２７とをさらに備えている。このピックアップローラ２７は、手差しトレイに載置された用紙Ｐを取り出す。ピックアップローラ２７によって取り出された用紙Ｐは、給紙ローラ２３、２５によって用紙搬送路に送り出され、レジストローラ２６によって、所定のタイミングで画像形成部３に供給される。
【００２７】
画像形成部３は、画像形成ユニット７と、画像形成ユニット７によってその表面（接触面）にコンピュータ等から電送された画像データに基づくトナー像が一次転写される中間転写ベルト３１（中間転写体）と、中間転写ベルト３１上のトナー像を給紙カセット２１から送り込まれた用紙Ｐに二次転写させるための二次転写ローラ３２とを備えている。
【００２８】
画像形成ユニット７は、上流側（図１では右側）から下流側に向けて順次配設されたブラック用ユニット７Ｋと、イエロー用ユニット７Ｙと、シアン用ユニット７Ｃと、マゼンタ用ユニット７Ｍとを備えている。各ユニット７Ｋ、７Ｙ、７Ｃ及び７Ｍは、それぞれの中央位置に像担持体としての感光体ドラム３７が矢符（時計回り）方向に回転可能に配置されている。各感光体ドラム３７の周囲には、帯電器３９、露光装置３８、現像装置７１、不図示のクリーニング装置及び除電器等が、回転方向上流側から順に各々配置されている。
【００２９】
帯電器３９は、矢符方向に回転されている感光体ドラム３７の周面を均一に帯電させる。帯電器３９としては、例えば、非接触型放電方式のコロトロン型およびスコロトロン型の帯電器、接触方式の帯電ローラおよび帯電ブラシ等が挙げられる。露光装置３８は、いわゆるレーザ走査ユニットであり、帯電器３９によって均一に帯電された感光体ドラム３７の周面に、画像読取装置等から入力された画像データに基づくレーザ光を照射し、感光体ドラム３７上に画像データに基づく静電潜像を形成する。
【００３０】
感光体ドラム３７は、アモルファスシリコン（ａ−Ｓｉ）感光体であることが好ましい。ａ−Ｓｉ感光体は、その膜厚を薄くすると飽和帯電電位が低下し絶縁破壊に至る耐電圧が低下するが、潜像部（露光部、画像形成部）の電位が２０Ｖ以下と非常に低く、非潜像部（非露光部、非画像形成部）の電位が約３５０Ｖであるという特徴を有している。さらに、潜像形成した時の感光体の表面の電荷密度は向上し、現像性能は向上する傾向がある。この特性は誘電率が約１０程度と高いａ−Ｓｉ感光体では２５μｍ以下、さらに好ましくは２０μｍ以下の場合に特に顕著である。なお、感光体ドラム３７は、例えば、直径３０ｍｍの感光体ドラムを用いる。
【００３１】
感光体として、正帯電の有機感光体（ｏｒｇａｎｉｃ  ｐｈｏｔｏ  ｃｏｎｄｕｃｔｏｒ（ＯＰＣ））を用いた場合は、残留電位を１００Ｖ以下にするために、感光層の膜厚を２５μｍ以上に設定し、電荷発生材料の添加量を増やすことが特に重要である。特に単層構造のＯＰＣは感光層の中に電荷発生材を添加することから感光層の膜減りによっても感度の変化が少なく、有利である。この場合でも現像バイアス電圧の直流電圧の電圧値は、４００Ｖ以下、さらに好ましくは３００Ｖ以下に設定することがトナーに強い電界をかけることを防止する意味でも好ましい。
【００３２】
現像装置７１は、静電潜像が形成された感光体ドラム３７の周面にトナーを供給することで、画像データに基づくトナー像を形成させる。そして、このトナー像が中間転写ベルト３１に一次転写される。クリーニング装置は、中間転写ベルト３１へのトナー像の一次転写が終了した後、感光体ドラム３７の周面に残留しているトナーを清掃する。除電器は、一次転写が終了した後、感光体ドラム３７の周面を除電する。クリーニング装置及び除電器によって清浄化処理された感光体ドラム３７の周面は、新たな帯電処理のために帯電器へ向かい、新たな一次転写が行われる。
【００３３】
中間転写ベルト３１は、無端状のベルト状回転体であって、表面（接触面）側が各感光体ドラム３７の周面にそれぞれ当接するように駆動ローラ３３、従動ローラ３４、バックアップローラ３５、及び一次転写ローラ３６等の複数のローラに架け渡されている。また、中間転写ベルト３１は、各感光体ドラム３７と対向配置された一次転写ローラ３６によって感光体ドラム３７に押圧された状態で、前記複数のローラによって無端回転するように構成されている。駆動ローラ３３は、ステッピングモータ等の駆動源によって回転駆動し、中間転写ベルト３１を無端回転させるための駆動力を与える。従動ローラ３４、バックアップローラ３５、及び一次転写ローラ３６は、回転自在に設けられ、駆動ローラ３３による中間転写ベルト３１の無端回転に伴って従動回転する。これらのローラ３４、３５、３６は、駆動ローラ３３の主動回転に応じて中間転写ベルト３１を介して従動回転するとともに、中間転写ベルト３１を支持する。
【００３４】
一次転写ローラ３６は、一次転写バイアス（トナーの帯電極性とは逆極性）を中間転写ベルト３１に印加する。そうすることによって、各感光体ドラム３７上に形成されたトナー像は、各感光体ドラム３７と一次転写ローラ３６との間で、駆動ローラ３３の駆動により矢符（反時計回り）方向に周回する中間転写ベルト３１に重ね塗り状態で順次転写（一次転写）される。
【００３５】
二次転写ローラ３２は、トナー像と逆極性の二次転写バイアスを用紙Ｐに印加する。そうすることによって、中間転写ベルト３１上に一次転写されたトナー像は、二次転写ローラ３２とバックアップローラ３５との間で用紙Ｐに二次転写され、これによって、用紙Ｐにカラーの転写画像（未定着トナー像）が転写される。
【００３６】
画像形成ユニット７は、中間転写ベルト３１上にＣＭＹＫ各色毎にトナーパッチを形成することで、トナーパッチ形成部としても機能する。前記トナーパッチの画像濃度は、７Ｋ〜７Ｍ各画像形成ユニットの下流かつ中間転写ベルト３１のトナーパッチ形成面に対向する位置（図１では、マゼンタ用ユニット７Ｍの左方かつ中間転写ベルト３１の上方、すなわち駆動ローラ３３の直上に位置する）に設けられる画像濃度検出部９０によって検出される。
【００３７】
画像濃度検出部９０は、前記トナーパッチの画像濃度を検出するセンサであり、ＣＭＹＫ各色毎に設けられる。前記センサとして、例えば反射型濃度センサが用いられる場合は、背景面であるトナーパッチが形成されていない中間転写ベルト３１表面からの反射光とトナーパッチ表面からの反射光とを比較することでトナーパッチの画像濃度を検出する。画像濃度検出部９０によって検出されたトナーパッチの画像濃度に基づいて、トナー濃度を決定する現像装置７１における現像ローラの回転数および現像バイアス電圧値が設定される。この現像ローラの回転数および現像バイアス電圧値の設定については後に詳しく説明する。なお、トナーパッチの形成位置を中間転写ベルト３１上としているのは、１次転写が終了し２次転写が開始される前にトナーパッチの画像濃度を検出して、上記の設定を行う必要があるためである。
【００３８】
定着部４は、画像形成部３で用紙Ｐに転写された転写画像に定着処理を施すものであり、通電発熱体により加熱される加熱ローラ４１と、加熱ローラ４１に対向配置され、周面が加熱ローラ４１の周面に押圧当接される加圧ローラ４２とを備えている。
【００３９】
画像形成部３で二次転写ローラ３２により用紙Ｐに転写された転写画像は、用紙Ｐが加熱ローラ４１と加圧ローラ４２との間を通過する際に、定着部４において加熱による定着処理を施されて用紙Ｐに定着される。定着処理の施された用紙Ｐは、排紙部５へ排紙される。なお、本実施形態の画像形成装置１では、定着部４と排紙部５との間に適所に搬送ローラ６が配設されている。
【００４０】
排紙部５は、画像形成装置１の機器本体１ａの頂部が凹没されることによって形成され、この凹没した凹部の底部に排紙された用紙Ｐを受ける排紙トレイ５１が形成されている。
【００４１】
＜現像装置の構成および動作原理＞
次に、本発明の一実施形態に係る画像形成装置１が備える現像装置７１の構成について説明する。図２は、現像装置７１の構成の概略を示す断面図であり、図１に示した画像形成装置１が備える現像装置７１の周辺部を拡大して示したものである。
【００４２】
現像装置７１は、現像ローラ７２、磁気ローラ７３、パドルミキサ７４、攪拌ミキサ７５、穂切りブレード７６、仕切板７７、及び電圧印加部８０を備える。
【００４３】
現像ローラ７２は、表面にトナーを担持して搬送することにより、感光体ドラム３７の表面に予め形成された静電潜像をトナー像として顕像化（現像）する。磁気ローラ７３は、内部に配置された磁石によって２成分現像剤を吸着して磁気ブラシを発生させ、現像ローラ７２にトナーを供給する。なお、現像ローラ７２は、例えば、直径２０ｍｍのローラを用い、磁気ローラ７３は、例えば、直径２５ｍｍのローラを用いる。
【００４４】
パドルミキサ７４及び攪拌ミキサ７５は、らせん状羽根を有し、互いに逆方向に２成分現像剤を搬送しながら攪拌してトナーを帯電させる。さらに、パドルミキサ７４は、帯電させたトナーとキャリアとを含む２成分現像剤を磁気ローラ７３に供給する。穂切りブレード７６は、磁気ローラ７３上に形成された磁気ブラシの厚さを規制する。仕切板７７は、パドルミキサ７４と攪拌ミキサ７５との間に設けられ、仕切板７７の両端側より外側で、２成分現像剤が自由に通過できるようになっている。
【００４５】
キャリアは、例えば磁鉄鉱（Ｆｅ３０４）の磁性粒子であり、トナーの回収と供給との２つの役割を有する。現像ローラ７２に強固に静電的に付着したトナーを、磁気ローラ７３表面に形成された磁気ブラシで引き剥がして回収し、現像に必要なトナーを現像ローラ７２に供給するためには、キャリアの体積固有抵抗が１０６〜１０１３Ωｃｍであることが好ましい。また、キャリアの表面積を高めトナーとの接点を増やすために、平均粒径が５０μｍ以下の小粒径キャリアであることが好ましい。このような条件を満たす２成分現像剤のキャリアとして、例えば、体積固有抵抗が１０１０Ωｃｍ、飽和磁化が６５ｅｍｕ／ｇ、平均粒径が４５μｍのキャリアが用いられる。
【００４６】
電圧印加部８０は、現像ローラ７２および磁気ローラ７３にバイアス電圧を印加する電源であり、磁気ローラ７３へ直流（ＤＣ）バイアスを印加する電源８０ａと、現像ローラ７２へ直流（ＤＣ）バイアスを印加する電源８０ｂと、同じく現像ローラ７２へ交流（ＡＣ）バイアスを印加する電源８０ｃと、を備える。
【００４７】
現像装置７１を構成する現像ローラ７２等の各ローラおよび各ミキサの回転数の制御や、現像ローラ７２及び磁気ローラ７３に電圧印加部８０が印加するバイアス電圧の制御は、制御部１００が行う。
【００４８】
制御部１００は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｍｄｏｍ  Ａｃｃｅｓｓ  Ｍｅｍｏｒｙ）等からなり、現像装置７１を構成する現像ローラ７２等の各ローラおよび各ミキサの回転数の制御や、現像ローラ７２及び磁気ローラ７３に電圧印加部８０が印加するバイアス電圧の制御を含む画像形成装置の動作全般を制御する。
【００４９】
図３は、現像装置７１における現像を説明するための図である。図３は、現像装置７１の現像を説明するための概略図であって、感光体ドラム３７、現像ローラ７２、磁気ローラ７３及び穂切りブレード７６の位置関係は、図２とは異なる。パドルミキサ７４及び攪拌ミキサ７５で帯電されたトナー８１とキャリア８２とを含む２成分現像剤８３は、磁気ローラ７３に供給される。磁気ローラ７３に供給された２成分現像剤８３は、磁気ローラ７３の内部の磁石によって磁気ブラシとなって搬送される。その後、磁気ブラシは、磁気ローラ７３の表面のスリーブの回転によって移動し、穂切りブレード７６と磁気ローラ７３との間を通過する際に厚さが規制される。
【００５０】
電圧印加部８０によって印加された電圧によって、現像ローラ７２と磁気ローラ７３との間には、電位差が発生している。そのため、厚さが規制された磁気ブラシは、現像ローラ７２の近傍まで移動すると、この電位差によって帯電されたトナー８１のみが現像ローラ７２に移動する。現像ローラ７２に移動されたトナー８１は、均一なトナー層となる。感光体ドラム３７と現像ローラ７２との間にも、電圧印加部８０によって電位差が発生している。この電位差によって、感光体ドラム３７上に形成されている静電潜像にトナー８１がさらに移動して現像が行われる（タッチダウン現像）。
【００５１】
＜先端画像濃度ムラおよび現像ゴーストの発生メカニズム＞
次に、先端画像濃度ムラの発生メカニズムについて説明する。図４は、先端画像ムラの一例を示す図である。図４（Ａ）は、正常に印刷されたソリッド画像を示す図であり、図４（Ｂ）は、ソリッド画像が連続して印刷された場合に、後で印刷されたソリッド画像に先端画像ムラが生じた状態を示す図である。
【００５２】
現像ローラ７２へトナーを飽和領域まで供給するためには、現像ローラ７２を２周以上回転させる必要がある状況を想定する。そのような状況にもかかわらず、現像ローラ７２の１周分しかトナーが供給されていない状態で感光体ドラム３７の静電潜像が現像されてしまうと、十分な画像濃度を得られなくなる。このような場合に、先端画像濃度ムラが発生する。例えば印刷用紙の先端から後端までソリッド画像が印刷された場合に、続けてソリッド画像が印刷されたときは、現像ローラ上のトナーが使い尽くされた状態で、次の現像のために磁気ローラ７３から現像ローラ７２にトナーが供給されることになる。そのため、現像ローラ７２上に１周分しかトナーが供給されない状態で現像されることになるので、後に印刷されたソリッド画像の先端部は現像ローラ７２上にトナーが十分に供給されているため必要な画像濃度が得られるものの、残りの大部分の画像濃度は１周目の画像濃度よりも低くなる。
【００５３】
図５は、現像ゴースト（履歴現象）の一例を示す図である。図５（Ａ）は、正常に印刷された画像を示す図であり、図５（Ｂ）は、ソリッド画像が印刷された直後に印刷された画像において、該ソリッド画像が印刷された位置に対応する部分に現像ゴーストが生じた状態を示す図である。
【００５４】
ソリッド画像が印刷された直後に印刷がなされる場合は、先端画像濃度ムラの発生と同様な理由により、ソリッド画像が印刷された部分の現像ローラ２周目のトナー量が、ソリッド画像が印刷されていない部分の現像ローラ２周目のトナー量よりも少なくなる。そのため、現像ローラ７２から感光体ドラム３７へトナーが飛翔した後の残像が２周目にも現れる、いわゆる現像ゴーストが発生しやすくなる。
【００５５】
先端画像濃度ムラおよび現像ゴースト（以下、両者を併せて画像濃度ムラという）の発生要因として、次の２つの要因が挙げられる。すなわち、第１の要因は現像ローラ７２から磁気ローラ７３へのトナー回収能力の不足であり、第２の要因は磁気ローラ７３から現像ローラ７２へのトナー供給能力の不足である。
【００５６】
まず、第１の要因について以下に説明する。現像ローラ７２上のトナーが磁気ブラシによって完全に剥ぎ取られて、常に新しいトナーが現像ローラ７２に供給されることになれば、現像ローラ７２の回転数にかかわらず現像ローラ７２上のトナー量は一定になるため画像濃度ムラは発生しない。しかし、タッチダウン現像方式の場合、磁気ローラ７３と現像ローラ７２の間に存在する磁気ブラシを介して、前記したトナー回収とトナー供給をほぼ同時に行っている。したがって、現像ローラ７２上のトナーの回収機構を別に設ける等の工夫がない限り、現像ローラ７２上のトナーを完全に回収することは、極めて困難である。
【００５７】
次に、第２の要因について以下に説明する。現像ローラ７２上のトナー量が、現像ローラ７２が１周するのみで飽和トナー量に達するのであれば、現像ローラ７２が２周以上回転しても、現像ローラ７２上のトナー量は飽和トナー量のままである。すなわち、現像ローラ７２上のトナー量は一定となり、画像濃度ムラは発生しないことになる。
【００５８】
飽和トナー量は、磁気ローラ７３および現像ローラ７２に印可される直流電圧の電位差ΔＶで決定される。ΔＶを小さくすることで飽和トナー量は減少する。したがって、ΔＶを小さくすれば、現像ローラ７２が１周するのみで飽和トナー量に達するので、画像濃度ムラは解消される。しかし、飽和トナー量がソリッド画像の画像濃度を満足させるのに十分なトナー量であるとは限らない。例えば、低温低湿環境などでトナーの帯電量が高くなった場合には、感光体ドラム３７へのトナーの飛翔量が減少して、ソリッド画像の画像濃度が十分に得られないことも起こり得る。
【００５９】
画像濃度ムラを防止するためには、飽和トナー量がソリッド画像の画像濃度を満足させるのに十分なトナー量であり、かつ必要なトナー量が現像ローラ１周のみで感光体ドラム３７上に供給されることが必須である。感光体ドラム３７上に供給されるトナー量は、現像ローラ７２の回転速度と相関すると考えられることから、検討例１および２で、現像ローラ７２の回転速度と感光体ドラム３７上および現像ローラ７２上のトナー量との関係について検討した。
【００６０】
＜検討例１＞
図６は、現像ローラ７２の回転速度と感光体ドラム３７上および現像ローラ７２上のトナー量との関係について検討した検討例１の結果を示す図である。検討例１の結果から、現像ローラ７２上のトナー量は現像ローラ７２の回転速度を遅くすることによって増加するが、感光体ドラム３７上のトナー量、すなわち現像されるトナー量は減少することが分かる。感光体ドラム３７に対する現像ローラ７２の回転速度比が下がるため、このような結果となったと考えられる。ゆえに、画像濃度ムラが発生する状況にあるときは、現像されるトナー量が不足しているから、現像ローラ７２の回転速度を増加させて、現像されるトナー量を増加させればよいことになる。
【００６１】
ただし、現像ローラ７２の回転速度が増加すると、現像ローラ７２上のトナーが飛散しやすくなる。また現像装置７１の構成上、現像ローラ７２の回転と、磁気ローラ７３や攪拌ミキサ７５、パドルミキサ７４の回転とは独立していない。そのため、現像ローラ７２の回転速度が増加すると、これらのローラやミキサの回転速度も増加して現像剤が激しく攪拌されることになり、現像剤の劣化を促進する結果になる。したがって、現像ローラ７２の回転速度は可能な限り低く設定するのが望ましい。すなわち、現像ローラ１周のみで感光体ドラム３７上に現像されるトナー量が、ソリッド画像濃度を得るために必要なトナー量となる現像ローラ７２の回転速度の最低値を決定すればよいことになる。
【００６２】
＜検討例２＞
ところで、現像ローラ７２から磁気ローラ７３へのトナー回収能力や、磁気ローラ７３から現像ローラ７２へのトナー供給能力は、現像ローラ７２の回転速度の他にも、様々な要素によって左右される。例えば、現像ローラ７２と磁気ローラ７３の距離、磁気ローラ７３の磁極のレイアウト、２成分現像剤が磁気ローラ７３上に形成する磁気ブラシの穂の高さ、すなわち穂切りブレード７６と磁気ローラ７３のギャップ、キャリアの粒径および飽和磁化等である。また、二成分現像剤中のトナー濃度、温度変化等の環境変動、キャリアの劣化によるトナー帯電量の変化等によっても、現像ローラ７２へ供給されるトナー量は変動しやすい。
【００６３】
上記の要素のうち、代表的な要素である温度変化について検討例２で検討した。図７は、現像ローラ７２の回転速度と感光体ドラム３７上および現像ローラ７２上のトナー量との関係について、温度別に検討した検討例２の結果を示す図である。
【００６４】
検討例２の結果は、温度が高い場合は、感光体ドラム３７上のトナー量が増加する、すなわち現像性が上がり、温度が低いと現像性が下がること示している。したがって、温度が高いときには現像ローラ７２の回転速度は低速で十分であるが、逆に温度が低いときには、現像ローラ７２の回転速度を増加させて、低下した現像量を補う必要があることが分かる。すなわち、印刷の都度に温度等の環境が変動するので、最適な現像ローラ７２の回転速度も、印刷の都度に変動することになる。
【００６５】
＜現像ローラの回転速度設定＞
現像ローラ７２の回転速度の設定について以下に説明する。図８は、本発明の一実施形態に係る画像形成装置１における現像ローラ７２の回転速度の設定処理を示すフローチャートである。
【００６６】
制御部１００は、まず現像ローラ７２の回転速度をデフォルト値に設定する（ステップＳ１）。このデフォルト値は、例えば制御部１００のＲＯＭに記憶されている。つづいて制御部１００が、前記デフォルト値の回転速度で現像ローラ７２を１周させることで、現像ローラ７２上に残留しているトナーは磁気ブラシによって引きはがされる（ステップＳ２）。これにより、現像ローラ７２の１周分のトナー量で形成されるソリッド画像の濃度が正確に検出されることになり、現像ローラ７２の回転数が正確に設定されることになる。
【００６７】
制御部１００は、表面のトナーが引きはがされた現像ローラ７２表面へのトナー層形成を、現像ローラ７２を１周だけ回転させることで行う（ステップＳ３）。制御部１００は、この１周分のトナーでソリッド画像１（トナーパッチ）を現像装置７１に中間転写ベルト３１上へ形成させる（ステップＳ４）。
【００６８】
濃度検出部９０は、中間転写ベルト３１上へ形成されたソリッド画像１の濃度を検出する（ステップＳ５）。濃度検出部９０が検出した画像濃度が１．２以上、すなわち画像濃度が十分に確保されている場合は（ステップＳ６でＹＥＳ）、制御部１００は、デフォルト値を現像ローラ７２の回転速度に設定する（ステップＳ８）。なお、ソリッド画像の濃度の下限値を１．２としているのは、この濃度以上であれば、ユーザにソリッド画像として認識させることが可能だからである。
【００６９】
一方、濃度検出部９０が検出したソリッド画像１の画像濃度が１．２未満、すなわち画像濃度が目標まで達しない場合は（ステップＳ６でＮＯ）、ステップＳ７に進んで、制御部１００は、現像ローラ７２の回転速度を増速させる。ソリッド画像１の画像濃度が１．２以上となるまで、ステップＳ２からステップＳ７が繰り返される。
【００７０】
＜ΔＶの設定＞
次に、現像ローラ７２および磁気ローラ７３に印可される直流電圧の電位差ΔＶの設定について以下に説明する。図９は、本発明の一実施形態に係る画像形成装置１におけるΔＶの設定処理を示すフローチャートである。
【００７１】
制御部１００は、現像ローラ７２の回転速度を設定した後、引き続きΔＶを設定する。制御部１００は、まずΔＶをデフォルト値に設定する（ステップＳ１０１）。このデフォルト値は、前述の回転速度のデフォルト値と同様に、例えば制御部１００のＲＯＭに記憶されている。
【００７２】
ステップＳ１０１に引き続き、制御部１００が現像ローラ７２を１周だけ回転させてソリッド画像１を形成させることは、前述の現像ローラ７２の速度設定と同様である（ステップＳ２〜ステップＳ４）。この後、制御部１００が現像ローラ７２を２回転させてソリッド画像２を形成させ、両ソリッド画像の濃度を比較することが、前述の現像ローラ７２の速度設定とは異なる。
【００７３】
ステップＳ４に続いて、制御部１００が、現像ローラ７２を１周させることで、ソリッド画像１の形成後に現像ローラ７２上に残留しているトナーは磁気ブラシによって引きはがされる（ステップＳ１０５）。
【００７４】
次に制御部１００は、表面のトナーが引きはがされた現像ローラ７２表面へのトナー層形成を、現像ローラ７２を２回転させることで行う（ステップＳ１０６）。制御部１００は、この２周分のトナーでソリッド画像２を現像装置７１に中間転写ベルト３１上へ形成させる（ステップＳ１０７）。
【００７５】
濃度検出部９０は、中間転写ベルト３１上へ形成されたソリッド画像１およびソリッド画像２の濃度を検出する（ステップＳ１０８）。濃度検出部９０が検出した両ソリッド画像の濃度差が０．１以下、すなわち両画像の濃度差が十分に小さい場合は（ステップＳ１０９でＹＥＳ）、制御部１００は、デフォルト値をΔＶとして設定する（ステップＳ１１１）。なお、濃度差の上限値を０．１としているのは、この濃度差以下であれば、ユーザは濃度差として認識できない、すなわちユーザが画像濃度ムラとして認識できないからである。
【００７６】
一方、前記濃度差が０．１を超える場合、すなわち画像濃度ムラが発生している場合は（ステップＳ１１１でＮＯ）、ステップＳ１１０に進んで、制御部１００は、ΔＶを減少させる。前記濃度差が０．１以下となるまで、ステップＳ２からステップＳ１１０が繰り返される。
【００７７】
上記の回転速度設定およびΔＶの設定は、印刷毎に行われるが理想ではあるが、その場合は、印刷効率の低下やトナー消費量の増大を招く。実用上は、現像装置７１が一定の駆動時間に達する毎に、例えば印刷５００枚毎に実施すれば十分である。ただし、印刷環境が大幅に変化した場合や、長時間にわたって駆動がなく放置されていた場合等には、画質が変化する可能性が高いので、前記回転速度設定およびΔＶの設定が行われることが好ましい。
【００７８】
以下、実施例および比較例を挙げて前記設定につき更に詳細に説明するが、本発明は以下の実施例のみに限定されるものではない。
【００７９】
＜実施例および比較例＞
画像評価機としてＦＳ−Ｃ５０１６Ｎ（京セラミタ社製プリンタ）の改造機を用いた。図１０に示すように、現像ローラへの印可バイアスは１００Ｖ、感光体ドラムの回転速度は２００ｍｍ／ｓｅｃに固定し、現像ローラの回転速度と磁気ローラへの印可バイアスとの組合せを変え、図４（Ａ）に示すようなソリッド画像が印刷用紙の先頭から後端まで続くサンプル画像（先端画像濃度ムラ評価パターン）を印刷することで、先端画像濃度ムラを評価した。なお、現像ローラの回転数は、２００ｍｍ／ｓｅｃ〜３００ｍｍ／ｓｅｃへと５０ｍｍ／ｓｅｃ刻みで変化させ、磁気ローラへの印可バイアスは、２５０Ｖ〜３５０Ｖへと５０Ｖ刻みで変化させている（図１０参照）。
【００８０】
印刷された先端画像濃度ムラ評価パターンにおいて、現像ローラ１周目に相当する部分と現像ローラ２周目に相当する部分の画像濃度とをマクベス反射濃度計（ＲＤ９１４）を用いて測定した。画像濃度については、先端画像濃度ムラ評価パターンの画像濃度が１．２以上の場合に合格判定とした。また、先端画像濃度ムラについては、先端画像濃度ムラ評価パターンの現像ローラの１周目と２周目に相当する部分の画像濃度差が０．１以下の場合を合格判定とした。評価結果を図１０に示す。図１０において○は合格判定、×は不合格判定を示す。
【００８１】
実施例１および２ならびに比較例１は、現像ローラ１周分のトナー量が供給された例、比較例２は、現像ローラ１周分にも満たないトナー量しか供給されなかった例、比較例３は、現像ローラ２周分のトナー量が供給された例である。
【００８２】
比較例３の結果が示すように、現像ローラへのトナー供給が２周に亘って行われた場合は、先端画像濃度ムラが発生した。逆に実施例１および２ならびに比較例１の結果から、現像ローラの回転速度（２００ｍｍ／ｓｅｃ〜３００ｍｍ／ｓｅｃ）に関わらず、現像ローラ１周で飽和トナー量に達する場合には先端画像濃度ムラは発生しないことが分かった。ただし、比較例１の結果から、現像ローラの回転速度が少ない場合（２００ｍｍ／ｓｅｃ）、必要な画像濃度が得られないことが分かった。
【００８３】
また、比較例２の条件は、現像ローラの回転速度は、本評価での中央値（２５０ｍｍ／ｓｅｃ）であるものの、磁気ローラへの印加バイアスが少ない（本評価の最小値である２５０Ｖ）。そのため比較例２の条件では、現像ローラ上のトナー量と正の相関を有する現像ローラと磁気ローラの電位差ΔＶが小さくなりすぎて（１５０Ｖ）、現像ローラ上のトナーが少なくなり、必要な画像濃度が得られない結果となったと考えられる。すなわち、現像ローラの回転速度に応じてΔＶを設定する必要があることが示唆される。
【００８４】
以上の結果から、本評価の設定条件の範囲で、先端画像濃度ムラを回避し、かつ画像濃度を確保するためには、現像ローラの回転速度を２５０ｍｍ／ｓｅｃ以上であり、かつ現像ローラの回転速度に応じてΔＶを設定されている実施例１および２の条件が必要であることが分かった。しかし、トナー飛散の抑制および現像剤に対するストレス低減を考慮すると、現像ローラの回転速度が２５０ｍｍ／ｓｅｃと小さい実施例２の方が実施例１よりも好ましいといえる。
【００８５】
以上、本発明の実施形態に係る画像形成装置１について説明したが、本発明はこれに限定されるものではなく、例えば次のような変形実施形態を取ることもできる。
【００８６】
（１）上記実施形態では、画像形成装置としてタンデム式の画像形成装置を例に挙げて説明したが、本発明は、タンデム式に限らず、タッチダウン現像方式を利用した画像形成装置一般に適用できる。
【００８７】
（２）上記実施形態では、画像形成装置としてカラープリンタを例に挙げて説明したが、本発明は、画像形成装置がカラープリンタであることに限定されるものではない。画像形成装置は、例えば、モノクロプリンタ、ファクシミリ装置、複合機等であってもよい。
【００８８】
（３）上記実施形態では、像担持体として、ドラム状の感光体である感光体ドラムを例に挙げて説明したが、像担持体はこれに限定されるものではない。ベルト状の感光体、及びシート状の感光体等に対しても本発明を適用できる。
【００８９】
（４）上記実施形態では、トナーパッチは中間転写ベルト上に形成されるが、トナーパッチが、感光体ドラム等の像担持体上に形成されるようにしてもよい。
【図面の簡単な説明】
【００９０】
【図１】本発明の一実施形態に係る画像形成装置の全体構成の概略を示す断面図である。
【図２】本発明の一実施形態に係る画像形成装置が備える現像装置の構成の概略を示す断面図である。
【図３】本発明の一実施形態に係る画像形成装置が備える現像装置における現像を説明するための図である。
【図４】先端画像ムラの一例を示す図であり、（Ａ）は、正常に印刷されたソリッド画像を示す図であり、（Ｂ）は、ソリッド画像が連続して印刷された場合に、後で印刷されたソリッド画像に先端画像ムラが生じた状態を示す図である。
【図５】現像ゴーストの一例を示す図であり、（Ａ）は、正常に印刷された画像を示す図であり、（Ｂ）は、ソリッド画像が印刷された直後に印刷された画像において、該ソリッド画像が印刷された位置に対応する部分に現像ゴーストが生じた状態を示す図である。
【図６】現像ローラの回転速度と感光体ドラム上および現像ローラ上のトナー量との関係について検討した検討例１の結果を示す図である。
【図７】現像ローラの回転速度と感光体ドラム上および現像ローラ上のトナー量との関係について、温度別に検討した検討例２の結果を示す図である。
【図８】本発明の一実施形態に係る画像形成装置における現像ローラの回転速度の設定処理を示すフローチャートである。
【図９】本発明の一実施形態に係る画像形成装置における磁気ローラおよび現像ローラに印可される直流電圧の電位差の設定処理を示すフローチャートである。
【図１０】現像ローラの回転速度と磁気ローラへの印可バイアスとの組合せを変え、サンプル画像を印刷することで、先端画像濃度ムラを評価した結果を示す表形式の図である。
【符号の説明】
【００９１】
１      画像形成装置
３１    中間転写ベルト（中間転写体）
３７    感光体ドラム（像担持体）
７１    現像装置
７２    現像ローラ
７３    磁気ローラ
７４    パドルミキサ
７５    攪拌ミキサ
７６    穂切りブレード
７７    仕切板
８０    電圧印加部
８０ａ  ＤＣ電源
８０ｂ  ＡＣ電源
８０ｃ  ＤＣ電源
８１    トナー
８２    キャリア
８３    ２成分現像剤
９０    画像濃度検出部
１００  制御部
【図１】
2010117491.tif 000003
【図２】
2010117491.tif 000004
【図３】
2010117491.tif 000005
【図４】
2010117491.tif 000006
【図５】
2010117491.tif 000007
【図６】
2010117491.tif 000008
【図７】
2010117491.tif 000009
【図８】
2010117491.tif 000010
【図９】
2010117491.tif 000011
【図１０】
2010117491.tif 000012